(57)【要約】【課題】医師が手書きによって書いた文字を効率良く正確に文字認識させ、認識文字をキーワードとしてデータとの連携を可能にし、入力作業が効率的に行えるようにする。【解決手段】絵文字（パス）パレット上の絵文字（パス）ボタンを使って分類別単語マスターの切替と連携する情報入力画面の表示を行い、手書きされたキーワード文字の一部（筆跡情報等必要な場合は、全文字）により文字認識を行い、絵文字（パス）およびキーワード文字に連携する情報の入力を行う。また、カルテと共に、テキストデータ、数値データ、画像データとして記憶するものである。【選択図】    図２
2004164457.tif 000002
【特許請求の範囲】
【請求項１】
ペンによって文字や図等のイメージが入力可能な入力表示面において、操作パレット上の絵文字（パス）の選択により、分類別単語マスターの選択・切替を行う選択・切替手段と、
文字認識用のマス目内でペンによって手書きされたキーワード文字の一部を文字認識させて文字変換を行う文字認識手段と、
絵文字（パス）の選択により連携する手書きキーワード文字、数値、テキスト情報、画像情報の入力ウインドを同一のパレット上に表示する表示手段と、
絵文字（パス）の選択により起動した連携情報入力パレット上に手書きによるキーワード文字、数字の入力及び表示されたテキスト情報、画像情報の選択による入力手段と、
絵文字（パス）の選択により起動した連携情報パレット上に手書き文字認識された文字候補、数値候補及び選択されたテキスト情報、画像情報を表示する表示手段と、
選択された文字、数値、テキスト情報、画像情報をイメージ文書中に取り込むと同時にテキストデータ、数値データ、画像データとしてイメージ文書と共に記憶する記憶手段と、
を有することを特徴とするイメージカルテパス連携管理システム。
【請求項２】
前記選択・切替手段は、分類別マスターを絵文字（パス）に連携させることにより、複数の絵文字（パス）の中から該当の絵文字（パス）を選択した後、入力表示面へ取り込むことで分類別マスターの選択と切替を行う
ことを特徴とする請求項１記載の手書きイメージカルテパス連携管理システ
【請求項３】
前記文字認識手段は、表示されたマス目内に前記ペンによって手書きされたキーワードとなる文字の一部を文字認識させて文字変換を行う
ことを特徴とする請求項１記載のイメージカルテパス連携管理システム。
【請求項４】
前記表示手段は、絵文字（パス）の選択により連携する手書きキーワード文字、数値、テキスト情報、画像情報の入力ウインドを同一のパレットに表示する、
ことを特徴とする請求項１記載のイメージカルテパス連携管理システム。
【請求項５】
前記入力手段は、絵文字（パス）の選択により起動した連携情報入力パレットに手書きによるキーワード文字、数字の入力とテキスト情報、画像情報の選択により入力を行う、
ことを特徴とする請求項１記載のイメージカルテパス連携管理システム。
【請求項６】
前記表示手段は、絵文字（パス）の選択により起動した連携情報パレット上に手書き文字認識された文字候補、数値候補及び選択されたテキスト情報、画像情報を表示する表示する、
ことを特徴とする請求項１記載のイメージカルテパス連携管理システム。
【請求項７】
前記記憶手段は、表示された文字、数値、文字情報、画像情報をイメージ文書と共にテキストデータ、画像データ、数値データ、として記憶する、
ことを特徴とする請求項１記載のイメージカルテパス連携管理システム。
【発明の詳細な説明】
【０００１】
【発明の属する技術分野】
本発明は、医療機関で用いられるカルテなどのイメージ文書を作成するためのキーワードの一部とキーワードの全部を使った文字認識、文字変換並びに絵文字（パス）とキーワード文字のテキスト情報、画像情報との連携処理に関するものである。
【０００２】
【従来の技術】
従来のイメージカルテ管理システムに於いては、手書きによるキーワード文字認識は、全ての文字を手書き入力することで文字認識を行っていた。また、キーワード文字認識はカルテ検索用のキーワードをテキストデータ化するために主に利用されていた。
【０００３】
【発明が解決しようとする課題】
しかしながら、文字認識は、認識対象となる文字が長くなると、認識間違いが起こり易くなる。認識された文字をキーワードとしてデータとの連携利用することはなおさら困難となる。入力作業の面からも、手書き入力する文字数が多くなることから入力作業が非常に面倒で非効率的になる。
キーワード文字認識はカルテ管理だけでなく、病名、薬剤、処置、処方等に関連する情報をキーワード認識させることでカルテ作成やテキスト、数値データとしてレセプトやオーダリングの連携情報にも利用できる。
【０００４】
そこで、本発明は、手書きによって書いた文字の一部を使って文字認識させ、文字変換やキーワードとして用いることができるキーワード文字認識変換並びにキーワード文字、数値、テキスト情報、画像情報と連携する絵文字（パス）による入力システムを提供するものである。
【０００５】
【課題を解決するための手段】
請求項１の発明は、ペンによって文字や図等のイメージが入力可能な入力表示面において、操作パレット上の絵文字（パス）の選択により、分類別単語マスターの選択・切替を行う選択・切替手段と、
文字認識用のマス目内でペンによって手書きされたキーワード文字の一部を文字認識させて文字変換を行う文字認識手段と、
絵文字（パス）の選択により連携する手書きキーワード文字、数値、テキスト情報、画像情報の入力ウインドを同一のパレット上に表示する表示手段と、
絵文字（パス）の選択により起動した連携情報入力パレット上に手書きによるキーワード文字、数字の入力及び表示されたテキスト情報、画像情報の選択による入力手段と、
絵文字（パス）の選択により起動した連携情報パレット上に手書き文字認識された文字候補、数値候補及び選択されたテキスト情報、画像情報を表示する表示手段と、
選択された文字、数値、テキスト情報、画像情報をイメージ文書中に取り込むと同時にテキストデータ、数値データ、画像データとしてイメージ文書と共に記憶する記憶手段と、を有することを特徴とするイメージカルテパス連携管理システムである。
【０００６】
請求項２の発明は、前記選択・切替手段として、分類別マスターを絵文字（パス）に連携させることにより、複数の絵文字（パス）の中から該当の絵文字（パス）を選択した後、入力表示面へ取り込むことで分類別マスターの選択と切替を行うことを特徴とする請求項１記載のイメージカルテパス連携管理システムである。
【０００７】
請求項３の発明は、前記文字認識手段として、表示されたマス目内に前記ペンによって手書きされたキーワードとなる文字の一部を文字認識させて文字変換を行う、
ことを特徴とする請求項１記載のイメージカルテパス連携管理システムである。
【０００８】
請求項４の発明は、前記表示手段として、絵文字（パス）の選択により連携する手書きキーワード文字、数値、テキスト情報、画像情報の入力ウインドを同一のパレットに表示する、
ことを特徴とする請求項１記載のイメージカルテパス連携管理システムである。
【０００９】
請求項５の発明は、前記入力手段として、絵文字（パス）の選択により起動した連携情報入力パレットに手書きによるキーワード文字、数字の入力とテキスト情報、画像情報の選択により入力を行う、
ことを特徴とする請求項１記載のイメージカルテパス連携管理システムである。
【００１０】
請求項６の発明は、前記表示手段として、絵文字（パス）の選択により起動した連携情報パレット上に手書き文字認識された文字候補、数値候補及び選択されたテキスト情報、画像情報を表示する表示する、
ことを特徴とする請求項１記載のイメージカルテパス連携管理システムである。
【００１１】
請求項７の発明は、前記記憶手段として、表示された文字、数値、文字情報、画像情報をイメージ文書と共にテキストデータ、画像データ、数値データ、として記憶すること
を特徴とする請求項１記載のイメージカルテパス連携管理システムである。
【００１２】
【作  用】
本発明は、キーワード文字の一部を認識させることによって文字変換を行い、表示された文字候補の中から対象の文字を選択するため、手書き入力の省力化が可能となる。但し、キーワード文字の全部を手書き入力する必要のある文字においては、キーワード文字の全部を認識させることによって文字変換を行う。同時に、絵文字（パス）を分類別マスターや文字、数値、テキスト情報、画像情報と連携させることで、マスターの切替や必要な情報の入力を意識せずに行える。
【００１３】
【発明の実施の形態】
以下、本発明の一実施例を図１から図５に基づいて説明する。そして、本実施例では、イメージカルテパス連携管理システムを、病院で適用する場合を説明する。
【００１４】
図１は、本発明の実施形態を実現するための、ハードウエア構成図である。
【００１５】
図１に示すように、パソコンよりなるサーバ１０１に、それぞれの医師が使用するパソコン本体（以下、医師用パソコンという）１０２が複数接続され、それぞれプリンター１０７とスキャナー１０８が接続されている。また、受付事務で用いられているパソコン（以下、受付事務用パソコンという）１０３も接続されている。看護用の携帯端末としてタブレットＰＣ１０９も無線ＬＡＮにて複数接続されている。サーバ１０１は、レセプト、オーダリング、検査機器のシステム１１０にも連携している。
【００１６】
受付事務用パソコン１０３は、患者データを入力するものであり、病院に受診に来た患者の氏名、性別、生年月日、住所、来院日、保険番号等を入力し、カルテ番号の一種である患者ＩＤによってサーバ１０１において管理している。
【００１７】
医師用パソコン１０２は、通常のパソコンと略同様の構成を有するが、画像表示面においては、ペン１０４によって文字や図などのイメージが入力可能な入力面を兼ね備えたペンタブレット等の入力表示面となっている。そして、医師用パソコン１０２は、カルテデータを入力でき、サーバ１０１においてそれを管理している。カルテデータは、患者ＩＤ、診察科ＩＤ、更新日（来院日）等と、その更新日において診察した医師のドクターＩＤと、その医師が手書きで書いたイメージカルテデータと、後述するキーワードを含むテキストデータ、数値データ、画像データが記憶されている。
【００１８】
図２は、本発明の実施例における、イメージカルテパス連携管理システムのブロック図である。
この発明に係るイメージカルテパス連携管理装置では、サーバ１０１での患者データ管理手段２０１、サーバ１０１からの患者情報表示手段２０２、医師の個人認証手段２０３、保存手書き入力手段２０４、入力情報表示手段２０９、入力情報保存手段２１０、絵文字選択手段２０５、連携情報入力手段２０６、キーワード文字認識手段２０７、外部入力インターフェイス２１１とそれに繋がる外部機器であるスキャナー１０８、外部出力インターフェイス２１２とそれに繋がる外部機器であるプリンター１０７、外部情報連携手段２１３、携帯端末（タブレットＰＣ）による看護用情報表示手段２１４、受付事務用パソコン１０３での受付事務入力手段２１５を有している。
患者データ管理手段は、サーバ１０１による患者の診療データの一元管理を可能にする。
患者情報表示２０２は、患者の受付情報や過去に診療暦のある患者のカルテデータ等を呼出すことを可能にする。
個人認証手段２０３は、医師の個人認証を可能にする。
患者を手書き入力手段２０４は、カルテ入力表示面にペン入力機能、マーカー機能、消しゴム機能、線の太さの選択、やり直し機能により手書き入力を可能にする。
入力情報表示手段２０９は、入力表示面に手書き入力されたイメージ文書と共に認識変換されたキーワード文字や数値、画像情報を表示させることを可能にする。入力されたデータは、分類コードにより他の関連する情報に連携し共有化することを可能にする。
入力情報保存手段２１０は、イメージ文書と共に連携するキーワードを含むテキストデータ、数値データ、画像データの記憶を可能にする。
絵文字（パス）選択手段２０５は、入力表示面５０１のメニュー画面５０２から該当する絵文字グループ５０４の選択を可能にする。選択された絵文字グループ５０４の中の連携する絵文字（パス）５０８を絵文字（パス）パレット５０７に一覧表示することを可能とする。絵文字（パス）パレット５０７の中から該当の絵文字（パス）５０８を選択すること可能とする。選択された絵文字（パス）を入力表示面５０１に表示させることを可能とする。また、分類別単語マスターは、絵文字パス５０８の選択により自動的に選択・切替を可能とする。
連携情報入力手段２０６は、連携情報入力パレット５０９上に連携するキーワード文字変換用の先頭文字（複数文字）入力マス（筆跡情報等必要な場合は、全文字の手書き入力用マス）５１０、キーワード文字候補表示及び選択ウィンド５１１、連携する数字変換用の手書き入力マス５１２、数や量などの単位や、入力テキスト、画像プレビュー表示部５１３、連携する情報検索用のキーワード文字変換マス５１４、テキストや画像などの連携情報候補表示及び選択ウインド５１５を同一パレット５０９上に表示することを可能とする。選択された絵文字（パス）、キーワード、数字、文書、画像等は共に入力表示面５０１に表示することを可能とする。
キーワード文字認識手段２０７は、文字認識用のマス５１０の中でキーワード文字の一部である先頭文字（複数文字）を文字認識することを可能とする。文字認識された候補文字に対応する先頭文字（複数文字）一致のキーワードを分類別単語マスター１より検索することを可能とする。先頭文字一致のキーワード文字候補に対する全文字一致のキーワード文字候補を分類別単語マスター２より検索することを可能とする。全文字一致のキーワード文字候補を一覧表示することを可能とする。
連携情報確定手段２０８は、選択されたキーワードを他の連携する情報と共に連携情報入力パレットに入力された情報を確定することを可能とする。
外部入力インターフェイス２１１は入力機器であるスキャナーに接続可能である。
外部出力インターフェイス２１２は、出力機器であるプリンターに接続可能である。
外部情報連携手段はレセプト、オーダリング、検査データ連携を可能にする。
携帯端末（タブレットＰＣ）による看護用情報表示手段２１４は、入院患者等の看護時の情報確認が可能となる。
受付情報入力手段２１５は、受付事務用パソコン１０３により患者受付時の患者情報入力を可能にする。
【００１９】
図３、図４及び図５により、イメージカルテパス連携管理装置での、患者のカルテを作成、管理する手順について説明する。
【００２０】
まず、患者が新患の場合には、病院を訪れた際に、事務用パソコン１０３で患者データを新たに作成し、患者ＩＤを付けてサーバ１０１に記憶させる。
【００２１】
また、２回目以上の受診を行う患者の場合には、提出された診察券の患者ＩＤに基づいて、サーバ１０１からその患者データを抽出する。
【００２２】
そして、患者が診察を受けた後、医師は次のようにしてカルテを作成する。
【００２３】
ステップ３０１において、医師用パソコン１０２には、サーバ１０１からその受診した患者データが送られてきているため、医師はイメージ文書手書き入力画面を入力表示面５０１に表示させる。
【００２４】
ステップ３０２において、図５に示すように、診察した内容であるイメージを表示面５０１にペン１０４によって手書き入力する。
【００２５】
ステップ３０３において、絵文字（パス）から情報入力を行う場合はステップ３０４に進み、情報入力パレットから直接入力を行う場合は、ステップ３０６に進む。
【００２６】
ステップ３０３で絵文字（パス）から入力を行うこととしたので、ステップ３０４にて入力画面の操作ボタン５０４により絵文字（パス）パレットを起動させる。
【００２７】
ステップ３０５において、パレット上の対象の絵文字（パス）をペン１０４で選択し、絵文字（パス）パレット５０７を表示させる。ここでは、例として与薬グループの中の注射の絵文字（パス）を絵文字（パス）パレット５０７から選択する。
【００２８】
ステップ３０３において絵文字（パス）から情報入力を行わないこととしたので、ステップ３０６に進む。
【００２９】
ステップ３０６にて、入力画面の操作ボタンをペン１０４にてクリックし情報入力パレット５０９を起動させて、ステップ３０７へ進む。
【００３０】
ステップ３０７において、連携する病名入力、薬剤（情報）入力、処置入力、処方入力、Ｓｅｔ診療入力、Ｄｏ診療等の入力パレット５０９が起動表示される。
【００３１】
ステップ３０７において、連携情報入力パレット５０９上に文字認識用の既定数のマス目が自動的に表示される。
【００３２】
ステップ３０８において、検索キーワードの一部を使用する場合の文字数は、２〜５の間で可変であり、連携情報の種類によってマス目の数が設定される。
【００３３】
ステップ３０５ステップ３０８において作成されたマス目にキーワード文字「インシュリン」の文字の一部である「インシ」を手書き入力し、ステップ４０２進む。
【００３４】
ステップ３０９において、文字認識・文字検索を実行させた後ステップ３１０に進む。
【その詳細説明】
【００３５】
図４の文字変換フローにおいて、文字変換についての詳細の説明を行う。
ステップ４０１において文字認識用のマス目に、ペン１０４によってキーワード文字の一部である「インシュ」を手書き入力して、ステップ４０２に進む。
【００３６】
ステップ４０２において、文字認識エンジンにより、１文字単位の文字候補を取得し、ステップ４０３に進む。
【００３７】
ステップ４０３において、文字検索エンジンにより、キーワードの一部が一致するキーワード文字候補を、専用の分類別単語マスター１から候補順に取得し、ステップ４０４に進む。
【００３８】
ステップ４０４にて、キーワード文字候補と全文字一致するキーワード文字候補を文字検索エンジンにより、分類別単語マスター２から候補順に取得する。
【００３９】
ステップ４０３から４０４は、２つの分類別単語マスターを統合して、１つの分類別単語マスターより検索可能である。
以上  詳細
【００４０】
ステップ３１０において、連携情報入力パレット５０９上のキーワード文字候補選択ウインド５１１に候補順に認識文字を表示させて、ステップ３１１に進む。
【００４１】
ステップ３１１において、文字候補の上位候補から対象文字を選択し、ステップ３１２に進む。
【００４２】
ステップ３１１以降、対象文字の選択と連携情報入力により連携情報プレビュー面５１３に情報が順次表示される。
【００４３】
ステップ３１２において、連携情報文字認識入力マスに「薬の量」、「必要な日数」等の処方関する情報を手書きで入力する。また、キーワード文字の一部である「アレルギ」を手書き入力して病歴データを検索表示させて患者の体質に合うか確認する。
【００４４】
ステップ３１２において、連携情報プレビューの確認を行った後、入力情報に間違いがある場合は、都度連携情報リセットして再度入力を行う。入力情報が正しい場合はステップ３１３に進む。
【００４５】
ステップ３１３にて、入力情報の確定を行う。
【００４６】
ステップ３１４にて、セットとなった絵文字（パス）キーワード文字、数字、選択情報を入力表示面５０１に表示させる。
【００４７】
ステップ３１５にて、セットとなった絵文字（パス）キーワード文字、数字、選択情報をペン１０４にてドラッグにより移動、位置決めを行う。
【００４８】
ステップ３１６において、入力表示面５０１に手書きされたイメージ文書と共に、キーワード及び病名データ、薬剤（情報）データ、処置データ、処方データなどを記憶させる。
【００４９】
以上のように、カルテにおいてイメージ文書と共に病名データ、薬剤（情報）データ、処置データ、処方データを保存でき、これらをキーワードにして容易にそのイメージ文書を検索することができる。また、連携するレセプト、オーダリング、検査機器等と情報を共有できる。
【作成の際の留意点】
【００５０】
検索用の分類別単語マスターは本システムにおいては、医療用のマスターデータから作成する。
【００５１】
【作成の際の留意点】
検索を高速に行うため、任意の頭文字数で同じ文字のグループにまとめた「グループ単位」でデータを管理する。
【００５２】
分類別単語マスターは、コードなどが後付で付け加えることが出来るように、項目フィールド数などに制限を加えない。
【００５３】
病名、薬剤、処置、処方等のグループのキーワード文字を相互に連携させるために、個々の単語は分類コードを登録する。
【００５４】
（変更例１）
上記実施例でのペン入力は、キーボードおよびマウスによって入力してもよい。
【００５５】
（変更例２）
上記実施例では医療機関で用いられるシステムで説明したが、これに代えて、他のイメージ文書例えば、営業に用いられている資料などのキーワード文字認識システムとしてもよい。
【００５６】
【発明の効果】
以上により本発明であると、文字変換、検索、情報連携を効率的、発展的に行うことができる。絵文字パス使用することでイメージによる分類別マスターの切り替えを自然に行うことが可能となり、その分類別マスターの中でキーワード文字の一部分の文字検索を行い文字変換、数値変換並びに文字情報、画像情報へ連携・表示が可能となる。
【００５７】
【図面の簡単な説明】
【図１】本発明の実施形態に係るイメージカルテパス連携管理システムのハードウエア構成を示す図である。
【図２】本発明の実施形態に係るイメージカルテパス連携管理システムを示すブロック図である。
【図３】本発明の実施形態に係る本システムにおけるフローチャートである。
【図４】本発明の実施形態に係る本システムにおける文字変換のサブフローチャートである。
【図５】本発明の実施形態に係る入力表示面における画面構成並びに入力イメージ図である。
【符号の説明】
１０１  サーバ
１０２  医師用パソコン
１０３  事務用パソコン
１０４  ペン
１０５  マウス
１０６  キーボード
１０７  プリンター
１０８  スキャナー
１０９  看護用端末パソコン
２０１  データ管理手段
２０２  患者情報表示手段
２０３  個人認証手段
２０４  手書き入力手段
２０５  絵文字（パス）選択手段
２０６  連携情報入力手段
２０７  キーワード文字認識手段
２０８  連携情報確定手段
２０９  入力情報表示手段
２１０  入力情報保存手段
２１１  外部入力インターフェイス
２１２  外部出力インターフェイス
２１３  外部情報連携手段
２１４  看護用情報表示手段
２１５  受付情報入力手段
５０１  カルテ入力表示面
５０２  カルテ操作メニュー部
５０３  ペン機能部
５０４  絵文字（パス）グループボタン
５０５  分類別パレット起動ボタン
５０６  ページ変更ボタン
５０７  絵文字（パス）パレット
５０８  絵文字（パス）
５０９  連携情報入力パレット
５１０  キーワード文字変換マス
５１１  キーワード文字候補選択ウィンド
５１２  連携情報文字認識入力マス
５１３  連携情報プレビュー
５１４  連携情報検索文字認識マス
５１５  検索情報選択ウィンド
５１６  絵文字（パス）・連携情報のカルテ入力表示面への表示イメージ
【図１】
2004164457.tif 000003
【図２】
2004164457.tif 000004
【図３】
2004164457.tif 000005
【図４】
2004164457.tif 000006
【図５】
2004164457.tif 000007